(57)【要約】【課題】クレセント受の位置を簡単に調節でき、且つ、框部とガラスとのシールを簡単かつ各確実に行うことができるサッシ（建具）を提供する。【解決手段】サッシは、召合框のガラス保持溝内に固定される取付裏板８２と取付裏板８２に微調整可能に取付自在なクレセント受板８１を備え、取付裏板８２はガラス保持溝３１５の溝底３１５ａに固定される裏板取付部８２ａ（固定部）とその固定部から直角に延びてガラス保持側壁３１１の先端付近よりサッシの内周側に延設する調整板部８２ｂを有し、クレセント受板８１は取付裏板８２の調整板部８２ｂに調整自在に固定され、ガラス保持溝３１５よりも内周に位置しており、ガラスが召合框３１ａのガラス保持溝３１５内に接着剤９５を介して固定してある。【選択図】図６
2015010410.tif 000002
【特許請求の範囲】
【請求項１】
ガラスと、四周の框と、召合框にクレセント錠を備えるサッシであって、
クレセント錠のクレセント受が、召合框のガラス保持溝内に固定される取付裏板と取付裏板に位置調整可能に取付自在なクレセント受板を備え、
取付裏板はガラス保持溝の溝底に固定される固定部と該固定部から直角に延びてガラス保持側壁の先端部分よりサッシの内周側に延設する調整板部とからなり、クレセント受板は取付裏板の調整板部に位置調整自在に固定され、ガラス保持溝よりも内周に位置していることを特徴とするサッシ。
【発明の詳細な説明】
【技術分野】
【０００１】
本発明は、クレセント受を容易に位置調整できるサッシ（建具）に関する。
【背景技術】
【０００２】
引き違い窓や片引き窓等の建具の召し合せ部には、クレセント錠が設けられているが、サッシの中には、該クレセント錠のクレセント受が左右方向に位置調整自在に設置されているものがある。
【先行技術文献】
【特許文献】
【０００３】
【特許文献１】特開２００７−３１５０７０号公報
【発明の概要】
【発明が解決しようとする課題】
【０００４】
しかしながら、上記先行技術文献のものは、召合框のガラス保持溝内にクレセント受の位置調整手段を備えるものであるので、クレセント受の位置調整が容易にできなかった。また、ガラスを框のガラス保持溝内に接着剤で固定する際、又は、框とガラス間をシール剤などでシーリングする際には、クレセント受の部分を避けて接着やシーリングをせざるを得ないため、障子の水密・気密性が損なわれる虞があった。さらに、接着剤やシーリング剤の塗布作業をクレセント受の周辺から開始しなければならず、制限が生じるため、作業性が悪かった。
【０００５】
本発明は、上記事情を鑑みたものであり、クレセント受の位置を簡単に調節できるサッシ（建具）を提供すること、框部とガラスとの接着やシーリングを簡単かつ確実に行うことができるサッシ（建具）を提供することを目的とする。
【課題を解決するための手段】
【０００６】
本発明のサッシは、ガラスと、四周の框と、召合框にクレセント錠を備えるサッシであって、クレセント錠のクレセント受が、召合框のガラス保持溝内に固定される取付裏板と取付裏板に位置調整可能に取付自在なクレセント受板を備え、取付裏板はガラス保持溝の溝底に固定される固定部と該固定部から直角に延びてガラス保持側壁の先端部分よりサッシの内周側に延設する調整板部とからなり、クレセント受板は取付裏板の調整板部に位置調整自在に固定され、ガラス保持溝よりも内周に位置していることを特徴とする。
【発明の効果】
【０００７】
本発明によれば、たとえばサッシに対してクレセント受を強固に取り付けることができるとともに、クレセント受の取付や位置調整が容易に行うことができる。
【図面の簡単な説明】
【０００８】
【図１】本発明の実施形態に係るサッシの縦断面図である。
【図２】本発明の実施形態に係るサッシの横断面図である。
【図３】クレセント受板を示す図であり、（ａ）は側面図、（ｂ）は平面図である。
【図４】取付裏板を示す図であり、（ａ）は側面図、（ｂ）は平面図である。
【図５】樹脂ピースを示す図であり、（ａ）は側面図、（ｂ）は平面図、（ｃ）は正面図である。
【図６】本発明の実施形態に係るクレセント受の取付構造の一例を示す図である。
【図７】本発明の実施形態に係るクレセント受の通常状態を示した図である。
【図８】本発明の実施形態に係るクレセント受の調整状態を示した図である。
【発明を実施するための形態】
【０００９】
（窓の全体構成）
以下、本発明の実施の形態を図面に基づいて説明する。なお、上下は図１中の上下方向を、左右は図２中の左右方向を表す。ここでは、サッシの一例として、図１及び図２に示すように、枠体１に二枚の障子２ａ，２ｂを引き違いに納めた引き違い窓の例を挙げる。枠体１は、上下の横枠（上枠１１及び下枠１２）と、左右の縦枠１３とを四周枠組みしたもので、上枠１１の下面には内外障子用のレール１１ａ，１１ｂ、及び網戸用レール１１ｃが形成してあり、下枠１２の上面には内外障子用レール１２ａ，１２ｂ及び網戸用レール１２ｃが形成してある。
【００１０】
二枚の障子２ａ，２ｂは、何れも左右の縦框３と、上下の横框４（上框４１及び下框４２）と、パネル（ガラス）５とを備え、左右の縦框３の間に上下の横框４を取り付けて四周框組みして、パネル（ガラス）５を嵌め込んだものである。そして、下框４２ａ、４２ｂには、枠体１の下枠１２のレール１２ａ，１２ｂ上を走行する車輪を有する戸車７が設けられ、二枚の障子２ａ，２ｂが下枠上を左右方向スライド自在に納めてある。
【００１１】
外障子の召合框３１ａの室内側壁には、内外障子の召合框３１ａ，３１ｂの間をシールするシール部材３２が設けられており、内外召合框３１ａ、３１ｂの下面と下枠１２の間には、止水ピース（図示せず）が配置されて、室外より雨風が吹き込むのを防止している。
【００１２】
そして、外障子２ａの召合框３１ａには、内障子の召合框３１ｂに設けられたクレセントを受けるクレセント受８が取り付けてある。
【００１３】
（クレセント受の構成）
クレセント受８は、図３に示されるクレセント受板８１と、図４に示される取付裏板８２と、図５に示される樹脂ピース８３の部材から構成されている。
【００１４】
クレセント受板８１は、中央に切り欠き部８１ａを有する略四角形の平板状部材からなり、その一側は取付裏板８２に取り付けるための取付孔８１ｃ，８１ｃを備える連結部８１ｂとして構成されている。そして、中央の切り欠き部８１ａにより、連結部８１ｂから略Ｕ字状に受部８１ｄが形成され、受部８１ｄより切り欠き部８１ａ内方に向かってクレセントの掛部が係合する被係合部８１ｅが形成されている。
【００１５】
被係合部８１ｅは、室内側に向かってＬ字状に形成されており、受部８１ｄの室外側には、Ｕ字状の形状に沿ってリブ８１ｆを設けて補強している。
【００１６】
取付裏板８２は、外障子の召合框３１ａのガラス保持溝３１５の溝底３１５ａにネジ等で固定される裏板取付部８２ａと、該裏板取付部８２ａから略直角に延び、クレセント受板８１を調整自在に取り付け可能な調整板部８２ｂとからなり、全体として断面Ｌ字状の板部材として構成されている。裏板取付部８２ａには、召合框３１ａに固定するための取付孔８２ｃが形成されており、調整板部８２ｂには、クレセント受板８１を左右位置調整自在に連結するために左右方向に長い長孔８２ｄ、８２ｄが上下２箇所に設けられている。
【００１７】
樹脂ピース８３は、表板８３ａ、裏板８３ｂ、表板８３ａと裏板８３ｂの両端を接続する左右の側板８３ｃ、８３ｃにより略四角筒状に形成され、裏板８３ｂには、取付裏板８２とクレセント受板８１を固定するネジの先端部を逃がす２つの逃がし孔８３ｅ，８３ｅが形成されている。なお、ネジの先端部を逃がすことができれば孔に限定することはなく、ネジ先端が収まる凹部でもよい。
【００１８】
（クレセント受の取付構造）
図６を参照しながら、クレセント受の取付構造を説明する。
クレセント受８の取付裏板８２の裏板取付部８２ａは召合框３１ａのガラス保持溝３１５の溝底３１５ａに配置され、溝底３１５ａを挟んで配置された取付裏板８４及びネジ９１によって取付孔８２ｃを介して固定されている。
【００１９】
なお、取付孔８２ｃを長孔に形成することにより、ガラス保持溝３１５の溝底３１５ａに対して取付裏板８２を位置調整自在に取り付けることもでき、また、取付裏板８２のガラス保持溝３１５の溝底３１５ａへの固定は、ネジで固定することに限るものではない。
【００２０】
召合框３１ａのガラス保持溝３１５を構成するガラス保持側壁３１１のガラス保持溝内側は、裏板取付部８２ａから直角方向に延びる調整板部８２ｂを受け入れるために切除されており、前記調整板部８２ｂは該切除された切除部に保持されながらガラス保持側壁３１１の先端から突出している。
【００２１】
そして、取付裏板８２の調整板部８２ｂが切除部に保持された状態で、ガラス５と四周の框に設けたガラス保持側壁との間に接着剤が充填され、ガラス５が四周の框に設けたガラス保持溝内に接着剤で固定される。なお、ガラス保持側壁３１１のガラス保持溝３１５内側は完全に切除される必要は無く、ガラス保持側壁３１１の先端部分は取付裏板８２が挿入できる挿入孔を設けるようにしてもよい。
【００２２】
ガラス保持側壁３１１の先端よりサッシの内周側に延設された調整板部８２ｂの長孔８２ｄとクレセント受板８１の連結部８１ｂの取付孔８１ｃとをネジ９等により固定することにより、クレセント受板８１をガラス保持溝３１５よりも内周側の位置で、召合框３１ａに対して位置調整自在に固定することができる。
【００２３】
なお、図６では、調整板部８２ｂの室外側（ガラス側）にクレセント受板８１を連結するように構成されているが、調整板部８２ｂの室内側にクレセント受板８１を連結してもよく、それにより、クレセント受板８１とガラス５との間隔を調整することもできる。
【００２４】
クレセント受板８１を左右位置調整自在に接続するための長孔８２ｄ、８２ｄがガラス保持側壁３１１の先端から突出する調整板部８２ｂの部位にあるので、召合框３１ａの外部でクレセント受板８１の取付及び位置調整をすることができ、クレセント受８の位置調節を容易に行うことができるとともに、ガラスと四周の框に設けたガラス保持側壁との間に接着剤を充填する際にも、左右位置調整のための部位をさける必要がなく、框とガラスとの間の接着・シールを確実に行うことができる。
【００２５】
調整板部８２ｂとクレセント受板８１との連結箇所は、樹脂ピース８３により覆われており、クレセント受板８１の固定部の腐食を防止することができるとともに、クレセント受板８１とガラス５との間隔を保持して、両者が接触することを防止している。
【００２６】
図７に示すように、樹脂ピース８３は、通常は、調整板部８２ｂとクレセント受板８１との連結箇所を覆う位置に配置されているが、クレセント受板８１の位置調整の時には、図８に示すように、樹脂ピース８３をクレセント受先端側にスライドさせてネジ９を露出して、クレセント受８の位置調整を可能にしている。
【００２７】
以上、説明したように、取付裏板８２は召合框３１ａのガラス保持溝３１５の溝底３１５ａに固定するので、クレセント受８を比較的強固に召合框３１ａに固定することができる。また、クレセント受板８１を左右位置調整自在に接続するための調整部分がガラス保持側壁３１１の先端から突出する箇所にあるので、クレセント受８の取付及び位置調整を容易にすることができる。さらに、ガラス５を框のガラス保持溝３１５に接着剤９５により固定する際にも、クレセント受８の位置調節部位をさけることなくガラスと框とを四周隙間無く接着できるので、障子の水密・気密性が良好である。
【符号の説明】
【００２８】
１  枠体
１１  上枠
１２  下枠
１２ａ，１２ｂ  内外障子用レール
１２ｃ  網戸用レール
２ａ，２ｂ  障子
３  縦框
３１ａ  召合框
３１１  ガラス保持側壁
３１５  ガラス保持溝
３１５ａ  溝底
４  横框  
４１  上框
４２  下框
５  パネル（ガラス）
８  クレセント受
８１  クレセント受板
８１ａ  切り欠き部
８１ｂ  連結部
８１ｃ  取付孔
８１ｄ  受部
８１ｅ  被係合部
８１ｆ  リブ
８２  取付裏板
８２ａ  裏板取付部（固定部）
８２ｂ  調整板部
８２ｃ  取付孔
８２ｄ  長孔
８３  樹脂ピース
８３ａ  表板
８３ｂ  裏板
８３ｃ  側板
８３ｅ  逃がし孔
８４  取付裏板
９，９１  ネジ（固定部材）
【図１】
2015010410.tif 000003
【図２】
2015010410.tif 000004
【図３】
2015010410.tif 000005
【図４】
2015010410.tif 000006
【図５】
2015010410.tif 000007
【図６】
2015010410.tif 000008
【図７】
2015010410.tif 000009
【図８】
2015010410.tif 000010